(57)【特許請求の範囲】
【請求項１】
車両の床下部分に付着した塵芥等を圧縮空気により気吹き除去しつつ、この除去されて浮遊する塵芥等を移動台車に搭載した集塵機によって回収するように構成した気吹き作業用集塵装置であって、
上記の車両を支持部材によって床面より所定の高さに支持するように構成する一方、上記集塵機を搭載する移動台車を、車両の側面下側の床面に設けた軌道上を、所定の高さに支持された当該車両の下部側面に沿って移動することができる側部移動台車によって構成すると共に、この側部移動台車に搭載する集塵機が、車両の側面に向けてダスト吸引口を広く大きく開口し、内部には塵芥等を捕集するフイルターと、上記の吸引口に対してフイルターを通して吸引力を及ぼすブロアーと、フイルターに付着した塵芥等を下側のダストボックスに払い落すことができる除塵装置とを備えたフイルター式集塵機であり、且つ、上記広く大きく開口したダスト吸引口の上面と左右両側には、上記車両の床下部分から気吹き除去されて来る塵芥等をガイドして、上記ダスト吸引口に集中的に吸引させるガイド板を設け、上記側部移動台車には上記フイルター式集塵機の上下の高さを調節自在にしたリフター装置を設けたことを特徴とする気吹き作業用集塵装置。
【請求項２】
車両の床下部分に付着した塵芥等を圧縮空気により気吹き除去しつつ、この除去されて浮遊する塵芥等を移動台車に搭載した集塵機によって回収するように構成した気吹き作業用集塵装置であって、
上記の車両を支持部材によって床面より所定の高さに支持するように構成する一方、上記集塵機を搭載する移動台車を、車両の側面下側の床面に設けた軌道上を、所定の高さに支持された当該車両の下部側面に沿って移動することができる側部移動台車と、車両の下側に設けたピット内、或は、上記支持部材の間を、車両の底面に沿って移動することができる底部移動台車とによって構成すると共に、これ等各移動台車に搭載する集塵機が、車両の側面或は底面に向けてダスト吸引口を広く大きく開口し、且つ、内部には塵芥等を捕集するフイルターと、上記の吸引口に対してフイルターを通して吸引力を及ぼすブロアーと、フイルターに付着した塵芥等を下側のダストボックスに払い落すことができる除塵装置とを備えたフイルター式集塵機であり、且つ、上記側部移動台車に搭載したフイルター式集塵機の広く大きく開口したダスト吸引口の上面と左右両側には、上記車両の床下部分から気吹き除去されて来る塵芥等をガイドして、上記ダスト吸引口に集中的に吸引させるガイド板を設け、上記側部移動台車には上記フイルター式集塵機の上下の高さを調節自在にしたリフター装置を設けたことを特徴とする気吹き作業用集塵装置。
【請求項３】
前記の除塵装置として、フイルターに圧縮空気を吹き込んで除塵するパルスジェット式除塵装置を使用すると共に、この除塵装置に圧縮空気を送るエアーコンプレッサーを、集塵機の内部で、且つ、前記ブロアーの排気気流の流通路中に設けたことを特徴とする請求項１又は２に記載の気吹き作業用集塵装置。
【請求項４】
前記の移動台車にその走行移動に従って長さを伸縮自在に調節することができる前記ブロアー用、及び、コンプレッサー用の電源コードを接続すると共に、前記車両を床面より所定の高さに支持する支持部材として、上面部に車両を載せて走行移動させるレールを敷設した支柱状の支持部材、又は、車両を昇降自在にしたジャッキ装置を用いることを特徴とする請求項１又は２に記載の気吹き作業用集塵装置。
【発明の詳細な説明】
【０００１】
【発明の属する技術分野】
本発明は、車両の床下に取付けられている各種機器や、車輪及びその周辺部に付着している塵芥等を、圧縮空気により気吹き除去し、且つ、この除去された塵芥等を移動台車に搭載した集塵機に回収させるように構成した気吹き作業用集塵装置に関するものである。
【０００２】
【従来の技術】
車両の床下部分に付着した塵芥等を気吹き除去し、これを集塵機に回収させるように構成した集塵装置に付いては、従来より、例えば実開昭５１−９７３７７号公報に記載されている清掃装置や、実公平５−４３８６３号公報に記載されている車両用乾式集塵機等が存在している。
【０００３】
上記前者の公報に記載されている清掃装置は、供給源から供給される多量の小塊状の清掃材を車両の床下に投射する遠心投射送風機と、これ等清掃材の飛散を防止するシール部材と、清掃材の投射によって落下した塵芥と、清掃材とを回収するホッパー及び吸引排風機とを備えていて、車両と遠心投射送風機の相対的な移動によって車両の床下全長を清掃できるように構成されている。
【０００４】
また、上記後者の公報に記載されている車両用乾式集塵機は、乾式集塵機の機体を車両の下方に設けたピット内で走行させることによって、作業時に発生する塵芥を上記乾式集塵機の電気集塵機や、プレフイルター及びロールフイルターを用いて集塵するように構成されている。
【０００５】
【発明が解決しようとする課題】
ところが、上記前者の公報に記載されている清掃装置は、清掃材を噴射して床下の汚れを落し、また、この清掃材をリサイクルするシステムであって、大型の気吹き作業専用工場に匹敵する大掛かりで複雑な構造に造られていて、作業操作が面倒で作業コストも高いため、床下に付着した塵芥等を車両整備作業中等に手軽に集塵処理できない問題があった。
【０００６】
更に、上記後者の公報に記載されている車両用乾式集塵機は、清掃作業によって舞い上がった塵芥等をブロアーで吸引し、これを集塵電極板に吸着する電気集塵機を用いて集塵を行うため、汚れがひどくて大量の塵芥が発生する場合は集塵しきれない問題が発生し、また、集塵電極板のメンテナンスも非常に面倒で、車両の床下の清掃用には適さない問題があった。
【０００７】
従って本発明の技術的課題は、車両の床下部分に付着した塵芥等を圧縮空気によって気吹き除去しつつ、気吹きによって浮遊する塵芥等を移動台車に搭載した集塵機によって回収する気吹き作業用集塵装置に於いて、装置全体を出来るだけ大掛かりにせず、比較的簡単な設備によって塵芥を確実に集塵できるようにすることである。
【０００８】
【課題を解決するための手段】
（１）  上記の技術的課題を解決するために、本発明では前記請求項１に記載の如く、車両の床下部分に付着した塵芥等を圧縮空気により気吹き除去しつつ、この除去されて浮遊する塵芥等を移動台車に搭載した集塵機によって回収するように構成した気吹き作業用集塵装置であって、上記の車両を支持部材によって床面より所定の高さに支持するように構成する一方、上記集塵機を搭載する移動台車を、車両の側面下側の床面に設けた軌道上を、所定の高さに支持された当該車両の下部側面に沿って移動することができる側部移動台車によって構成すると共に、この側部移動台車に搭載する集塵機が、車両の側面に向けてダスト吸引口を広く大きく開口し、内部には塵芥等を捕集するフイルターと、上記の吸引口に対してフイルターを通して吸引力を及ぼすブロアーと、フイルターに付着した塵芥等を下側のダストボックスに払い落すことができる除塵装置とを備えたフイルター式集塵機であり、且つ、上記広く大きく開口したダスト吸引口の上面と左右両側には、上記車両の床下部分から気吹き除去されて来る塵芥等をガイドして、上記ダスト吸引口に集中的に吸引させるガイド板を設け、上記側部移動台車には上記フイルター式集塵機の上下の高さを調節自在にしたリフター装置を設けたことを特徴としている。
【０００９】
上記（１）で述べた手段によれば、給・排水設備とか、大掛かりな設備を必要とせず、且つ、完全に乾式の清掃作業が可能であって、比較的簡単な構造の装置によって車両の下部側面に沿って集塵機を移動させながら、車両の床下部分の汚れをエアーガン等を用いて手軽に清掃することができると共に、集塵機内にフイルターとこれを除去する除塵装置を設けることにより、その場で集塵し、且つ、フイルターの除塵も出来るため、途中で清掃作業を中断することなく、全ての清掃作業を一貫して連続的に進めることを可能とし、更に、圧縮空気の噴射によって車両の床下から横方向又は下部方向に気吹き除去される塵芥等を、車両の下部側面に沿って移動する集塵機の広く大きく開口したダスト吸引口から吸い込んで確実に集塵することを可能にする。
【００１０】
また、上記（１）で述べた手段によれば、特別のフードやダクト等を設けなくても、車両の床下部分から気吹き除去された塵芥等を、大きく開口したダスト吸引口から広い範囲で直接フイルターボツクス内に吸い込んで、フイルターに捕集（集塵）させることができるものであって、フイルター面積を多くとることができ、且つ、直結で空気抵抗も少い点から、一度に大量の塵芥等が気吹き除去された場合でも、これを容易に集塵することを可能にする。
【００１１】
更に上記（１）で述べた手段によれば、集塵機の広く大きく開口したダスト吸引口の上面と左右両側面にガイド板が取り付けられているため、これらのガイド板が車両の床下から気吹き除去されて来る塵芥等を上記の吸引口に集中的に吸引させて、フイルターに捕集させることができると共に、集塵機の上下の高さをリフター装置で調節することにより、車両の高さや清掃箇所に応じて集塵機の高さを自在に調節して、気吹き除去された塵芥等をフイルターに確実に集塵させることができる。
【００１２】
（２）また、本発明では前記請求項２に記載の如く、上記の車両を支持部材によって床面より所定の高さに支持するように構成する一方、上記集塵機を搭載する移動台車を、車両の側面下側の床面に設けた軌道上を、所定の高さに支持された当該車両の下部側面に沿って移動することができる側部移動台車と、車両の下側に設けたピット内、或は、上記支持部材の間を、車両の底面に沿って移動することができる底部移動台車とによって構成すると共に、これ等各移動台車に搭載する集塵機が、車両の側面或は底面に向けてダスト吸引口を広く大きく開口し、且つ、内部には塵芥等を捕集するフイルターと、上記の吸引口に対してフイルターを通して吸引力を及ぼすブロアーと、フイルターに付着した塵芥等を下側のダストボックスに払い落すことができる除塵装置とを備えたフイルター式集塵機であり、且つ、上記側部移動台車に搭載したフイルター式集塵機の広く大きく開口したダスト吸引口の上面と左右両側には、上記車両の床下部分から気吹き除去されて来る塵芥等をガイドして、上記ダスト吸引口に集中的に吸引させるガイド板を設け、上記側部移動台車には上記フイルター式集塵機の上下の高さを調節自在にしたリフター装置を設けたことを特徴としている。
【００１３】
上記（２）で述べた手段によれば、給・排水設備とか、大掛かりな設備を必要とせず、且つ、完全に乾式の清掃作業が可能であって、比較的簡単な構造の装置によって車両の下部側面と底面に沿って夫々集塵機を移動させながら、車両の床下部分の汚れをエアーガン等を用いて手軽に清掃することができると共に、各集塵機内にフイルターとこれを除去する除塵装置を設けることにより、その場で集塵し、且つ、フイルターの除塵も出来るため、途中で清掃作業を中断することなく、全ての清掃作業を一貫して連続的に進めることを可能とし、更に、圧縮空気の噴射によって車両の床下から横方向又は下部方向に気吹き除去される塵芥等を、車両の下部側面と底面に沿って移動する各集塵機の広く大きく開口したダスト吸引口から吸い込んで確実に集塵することを可能にする。
【００１４】
更に上記（２）で述べた手段によれば、上記側部移動台車では、前述したように、集塵機の広く大きく開口したダスト吸引口の上面と左右両側面にガイド板が取り付けられ、集塵機がリフター装置によって高さ調節自在に構成されているため、前記段落「００１０」と「００１１」で述べたのと同様の作用を発揮して、気吹き除去された塵芥等をフイルターに確実に集塵させることができる。
【００１５】
（３）また、本発明では前記請求項３に記載の如く、前記の除塵装置として、フイルターに圧縮空気を吹き込んで除塵するパルスジェット式除塵装置を使用すると共に、この除塵装置に圧縮空気を送るエアーコンプレッサーを、集塵機の内部で、且つ、前記ブロアーの排気気流の流通路中に設けたことを特徴としている。
【００１６】
上記（３）で述べた手段によれば、フイルターに付着した塵芥等を圧縮空気の吹き込みによって払い落して、フイルターの目詰りを防止できるだけではなく、圧縮空気を供給するコンプレッサーと、圧縮空気供給用のチューブをブロアーの排気空気を利用して冷却するため、フイルターに噴射する圧縮空気に含まれている水分を凝縮して、水分が分離された質の良い圧縮空気をフイルター側に噴射することを可能にする。
【００１７】
（４）  更に、本発明では前記請求項４に記載の如く、前記の移動台車にその走行移動に従って長さを伸縮自在に調節することができる前記ブロアー用、及び、コンプレッサー用の電源コードを接続すると共に、前記車両を床面より所定の高さに支持する支持部材として、上面部に車両を載せて走行移動させるレールを敷設した支柱状の支持部材、又は、車両を昇降自在にしたジャッキ装置を用いることを特徴としている。
【００１８】
上記（４）で述べた手段によれば、所謂オートリールを使用してブロアーやコンプレッサーの電源コードを電源側に接続しているため、コードを移動台車に絡ませたりまとわり付かせたりすることがなく、電源コードの始末を考えずに清掃作業をスムーズに進めることができ、また、ブロアーやコンプレッサーにバッテリー等では達成できない大容量の電力を供給できるため、比較的大型のブロアーやコンプレッサーを搭載して、集塵機の性能を高めることを可能にする。
【００１９】
更に上記（４）で述べた手段によれば、車両を床面より所定の高さに支持して、床下部分に付着している塵芥等を容易に気吹き除去して集塵することを可能にする。
【００２０】
【発明の実施の形態】
以下に、本発明に係る気吹き作業用集塵装置の実施の形態を図面と共に説明すると、図１は本発明の使用状態を説明した構成図で、図中、ＭＣは鉄道車両、ＭＡは車輪ＭＲを含むその床下部分、ＣＴ，ＣＴは上面にレールＲＷ，ＲＷを敷設した支柱構造の支持部材（現場ではローソクピットと称されている）であって、車両ＭＣはこれ等支持部材ＣＴ，ＣＴによって図示の如く床面Ｆより所定の高さに支持されて、清掃を含む各種のメンテナンスが行われるが、この支柱状の支持部材ＣＴ，ＣＴに代えて図面に於いて符号ＣＴ′で示したジヤッキ構造の支持部材を車両ＭＣの両側（図面では一方は省略）にあてがって、車両ＭＣを所定の高さに持ち上げて支持してもよく、その選択は任意とする。
【００２１】
ＡＧは作業員が手等に持ったり、専用の操作アーム等に取付けて操作するエアーガンで、このエアーガンＡＧはコンプレッサー（図示省略）から供給管ＰＨとカプラーＨＺ、及び、エアーホースＡＨを通して送られて来る圧縮空気を前記車両ＭＣの床下ＭＡの部分に勢い良く噴射することによって、床下ＭＡの各種機器類や車輪ＭＲ等に付着している塵芥等を気吹き除去し、且つ、これ等除去された塵芥等を車両ＭＣの下側、又は、反対側（図面では右側）に吹き飛ばす仕組に成っている。
【００２２】
更に図中、符号１と３０で夫々全体的に示したのは、上記車両ＭＣを挟んで作業員とは反対側の床面上を、車両ＭＣに沿って走行移動自在に構成した側部移動集塵機と、上記各支持部材ＣＴ，ＣＴ、又は、ＣＴ′，ＣＴ′間の床面上、或は、床面Ｆに形成したピツト（図示省略）の中を、車両ＭＣの床下ＭＡの部分に沿って走行移動自在に構成した底部移動集塵機であって、各集塵機１，３０は夫々以下に述べる移動台車に搭載されていて、通常の場合、側部移動集塵機１を搭載した移動台車は運転手が搭乗して運転操作し、底部移動集塵機３０を搭載した移動台車は無線によって遠隔的に操作される仕組に成っている。また、前記請求項１に係る発明では、上記側部移動集塵機１を使用し、前記請求項２に係る発明では、上記側部移動集塵機１と底部移動集塵機３０の２台の集塵機を使用するように構成されている。
【００２３】
次に、上記側部移動集塵機１の構成を上記図１に示した側面図と、図２に示した正面図と、図３に示した平面図の記載に基づいて説明すると、図中、２は前後に移動用の車輪３，３を備えた側部移動台車、４Ｓはこの移動台車２の先端部に設けた運転席で、この運転席４Ｓには操作盤を備えた制御盤４と、操作ハンドル４Ａと、ハンドルロックレバー４Ｂと、バックミラー４Ｃと回転灯４Ｄが設けられている。
【００２４】
更に図中、５，５は側部移動台車２の前後底面部に設けたガイドピン、ＦＡは床面Ｆに形成したガイドピットで、ガイドピン５，５がこのガイドピットＦＡ内に嵌込まれていて、側部移動台車２をこのガイドピットＦＡに従って車両ＭＣの側面に沿って走行移動するように構成されている。
【００２５】
また、６は上記移動台車２の運転席４Ｓとは反対側の端部に設けた機台で、この機台６には充電機７とバッテリー箱８が取付けられており、その下側部には車輪３を駆動回転するブレーキ付きモータ３Ｍとデフミッション３Ａが取付けられている。更に機台６の上部には、電源コード３５Ｒ（図６）を巻いたオートリール９と、回転灯１０が取付けられていて、この様に構成した側部移動台車２の基台２Ａ上に設けたリフター装置１１の上に、上述した側部移動集塵機１が高さ調節自在に搭載されている。
【００２６】
更に図１乃至図３に於いて、１２，１２は上記の側部移動集塵機１を構成する器体で、これ等各器体１２の内部は仕切板１５，１６Ｚ，１９によって上から順番に排気室１４と、除塵室１６と、フイルターボツクス１７と、ダストボックス１８に仕切られており、最上段の排気室１４にはモータ１３Ｍによって回転する吸塵用のブロアーファン１３と、排気口１３Ｈに向かって流れるこのブロアーファン１３の排気気流の流通路中に位置させて、後述する除塵装置用のエアーコンプレッサー１６Ｈが設けられていて、ブロアーファン１３の排気によってエアーコンプレッサー１６Ｈを冷却して、除塵用の圧縮空気に含まれている水分を凝縮するように構成されている。
【００２７】
１７Ｆ…は上記各フイルターボックス１７内に設けたフイルターで、このフイルターボックス１７の側面（前面）は全体に直接大きく広く開口したダスト吸引口１７Ａに成っていて、上記ブロアーファン１３の回転によって発生する吸引作用をこのダスト吸引口１７Ａに及ぼして、前記エアーガンＡＧから噴射される圧縮空気によって、車両ＭＣの床下ＭＡ部分から図１に於いて右横方向に気吹き除去される塵芥等を、上面及び左右両側に設けたガイド板２０，２１，２１にガイドさせてダスト吸引口１７Ａ内に集中的に吸引し、これを各フイルター１７Ｆ…が捕集する仕組に成っている。
【００２８】
また、上述した各除塵室１６には、図１に示すように除塵用エアーを噴射するブローパイプ１６Ｐと、前記エアーコンプレッサー１６Ｈからエアーチューブ１６″を通して送られて来る除塵用の圧縮空気を、このブローパイプ１６Ｐに供給するヘッダーパイプ１６′とから成るパルスジェット式除塵装置が組み込まれていて、定期的に又は圧力損失の検出に基づいて各フイルター１７Ｆ内にブローパイプ１６Ｐより圧縮空気を吹き込むことによって、フイルター１７Ｆの外側面に付着した塵芥等を下側のダストボックス１８内に払い落すように構成されている。
【００２９】
次に、前述した無線にて遠隔操作される底部移動集塵機３０の構成を図４に示した平面図と、図５に示した正面図の記載に従って説明すると、図中、３０Ｈは前述した左右の支持部材ＣＴ，ＣＴ（図１）の間を遠隔操作によって車両ＭＣの床下ＭＡに沿って走行移動できるように構成した底部移動台車、３０Ｒ，３０Ｒはその移動用車輪、３４は移動台車３０Ｈの端部に設けたオートリール、３０Ｔ，３０Ｔは移動台車３０Ｈに搭載した上記底部移動集塵機３０の器体、３０Ｘは左右の器体３０Ｔ，３０Ｔ間に設けた仕切壁であって、走行用の駆動装置と無線操縦装置は図面上省略されている。
【００３０】
上記の各器体３０Ｔは、図示の如く仕切板３１Ａ，３２Ａによって横方向に排気室３１と除塵室３２とフイルターボツクス３３に仕切られており、最外側の排気室３１にはモータ３１Ｍによって回転するブロアーファン３１Ｆと、このブロアーファン３１Ｆを収めたファンケース３１Ｈと、このブロアーファン３１Ｆの排気気流の流通路中に位置させた状態で後述するパルスジェット式除塵装置用のエアーコンプレッサー３２Ｈとエアーチューブ３２″が設けられていて、ブロアーファン３１Ｆの排気によってエアーコンプレッサー３２Ｈとエアーチューブ３２″を冷却して、除塵用の圧縮空気に含まれている水分を凝縮するように構成されている。
【００３１】
３３Ｆ…は上記各フイルターボックス３３内に設けたフイルターで、このフイルターボツクス３３の上面は全体に直接大きく広く開口したダスト吸引口３３Ａに成っていて、上記ブロアーファン３１Ｆの回転によって発生する吸引作用をこのダスト吸引口３３Ａに及ぼして、前記エアーガンＡＧから噴射される圧縮空気によって、車両ＭＣの床下ＭＡ部分から図１に於いて下側方向に気吹き除去される塵芥等を、上向きに大きく開口した上記のダスト吸引口３３Ａに直接吸引し、これを各フイルター３３Ｆ…が直接捕集する仕組に成っている。
【００３２】
また、上述した各除塵室３２には、図示したように除塵用エアーを噴射するブローパイプ３２Ｐと、前記エアーコンプレッサー３２Ｈからエアーチューブ３２″を通して送られて来る除塵用の圧縮空気を、このブローパイプ３２Ｐに供給するヘッダーパイプ３２′から成るパルスジェット式除塵装置が組み込まれていて、定期的に又は圧力損失の検出に基づいて各フイルター３３Ｆ内にブローパイプ３２Ｐより圧縮空気を吹き込むことによって、フイルター３３Ｆの外側面に付着した塵芥等を下側のダストボックス３３Ｋに払い落すように構成されている。
【００３３】
図６は、オートリール３４を備えたコード自動巻取り装置の構成を説明したものであって、３５Ｒは根端側をオートリール３４側に巻いた前記エアーコンプレッサー３２Ｈとブロアー用モータ３１Ｍの電源コードで、根端側を戻しスプリング３４Ｓを備えた上記オートリール３４に巻くと共に、配線３５（図４）側に導通したこの電源コード３５Ｒの先端側には、差込みプラグ３７が接続されていて、この先端側を床面Ｆに設けたローラ３６に掛け渡した後、上記のプラグ３７を固定部３８Ａに設けた電源コンセント３８に差込み接続することによって、上記エアーコンプレッサー３２Ｈとブロアー用モータ３１Ｍを夫々駆動自在と成し、また、移動台車３０Ｈの進退移動に従って電源コード３５Ｒをオートリール３４から引き出したり、これを自動的に巻き取らせたりして、電源コード３５Ｒの始末を良くする仕組に成っている。
【００３４】
尚、図６では底部移動集塵機３０に設けたコード自動巻取り装置に付いてのみ説明しているが、前述した側部移動集塵機１にも図２に示すようにオートリール９を設けることによって、図６に示したものと同様にエアーコンプレッサー１６Ｈとブロアー用モータ１３Ｍの電源コードの自動巻取りを行うことができる仕組に成っている。
【００３５】
本発明に係る気吹き作業用集塵装置は以上述べた如き構成であるから、車両ＭＣの床下ＭＡ部分に付着した塵芥等を、エアーガンＡＧから噴射する圧縮空気によって気吹き除去して、除去された塵芥等を側面及び底部に設置した側部移動集塵機１、或は、底部移動集塵機３０によって集塵することができるのであるが、本発明では特に、これ等集塵機１，３０として、フイルターボックス１７，３３の各ダスト吸引口１７Ａおよび３３Ａを広く大きく開口する一方、ブロアーファン１３，３１Ｆの回転による吸引作用によってこれ等吸引口１７Ａ，３３Ａから吸引した塵芥等を直接フイルター１７Ｆ，３３Ｆに捕集することができ、且つ、これ等捕集した塵芥等をブローパイプ１６Ｐ，３２Ｐから噴射される圧縮空気によって各ダストボツクス１８，３３Ｋに払い落すことができるフイルター式集塵装置を使用するため、床下ＭＡ部分から塵芥が一度に大量に気吹き除去された場合であっても、これを簡単に、且つ、確実に集塵することができる。
【００３６】
【発明の効果】
以上述べた次第で、本発明に係る気吹き作業用集塵装置によれば、車両をいちいち大掛かりな気吹き作業専用工場等に運ばなくても、通常の車両整備工場等に於いて、床下部分から気吹き除去された塵芥等を車両の側面及び底面に沿わせて集塵機を移動しながら確実に集塵することができるものであって、装置全体の構造が簡単で比較的手軽に使用できる経済性を発揮することができる。
【００３７】
また、本発明によれば、集塵機のダスト吸引口を大きく開口すると共に、これら大きく開口したダスト吸引口の上面と左右両側面にガイド板を取り付けることにより、各ガイド板が車両の床下から気吹き除去されて来る塵芥等を上記の吸引口に集中的に吸引できるようにして、一度に大量の塵芥等が気吹き除去された場合でも、これを容易に集塵することができる利点を発揮できるものであって、集塵機の高さを車両に合せて調節自在にし、且つ、電源コードの始末を容易にした機能性を備える点と相俟って、各種車両の清掃に用いて洵に好適なものである。
【図面の簡単な説明】
【図１】  本発明に係る気吹き作業用集塵装置の全体を説明した構成図である。
【図２】  本発明で用いる側部移動集塵機の正面図である。
【図３】  同じく側部移動集塵機の平面図である。
【図４】  本発明で用いる底部移動集塵機の平面図である。
【図５】  同じく底部移動集塵機の正面図である。
【図６】  オートリール装置部分の構成図である。
【符号の説明】
ＭＣ            車両
ＭＡ            床下
ＣＴ，ＣＴ′            支持部材
ＡＧ            エアーガン
Ｆ              床面
１              側部移動集塵機
１１            リフター装置
２０，２１      ガイド板
３０            底部移動集塵機
２，３０Ｈ      移動台車
２，３０Ｔ      器体
９，３４        オートリール
１３，３１Ｆ    ブロアーファン
１６Ｈ，３２Ｈ          エアーコンプレッサー
１６Ｐ，３２Ｐ          ブローパイプ
１７，３３              フイルターボツクス
１７Ａ，３３Ａ          ダスト吸引口
１７Ｆ，３３Ｆ          フイルター
３５Ｒ          電源コード
【図１】
0003778777.tif 000002
【図２】
0003778777.tif 000003
【図３】
0003778777.tif 000004
【図４】
0003778777.tif 000005
【図５】
0003778777.tif 000006
【図６】
0003778777.tif 000007